(57)【要約】      （修正有）【課題】安価に製作されるとともに、バットの材質に拘わらず、野球又はソフトボールのバットのグリップ部に装着することで、打者が、より強いスイングを可能とする野球又はソフトボールのバットに装着する補助具を提供する。【解決手段】バットのグリップ部が貫通し、グリップ部の外周面に当接する円孔１１を開孔した偏平リング状に形成し、円孔１１がグリップ部を貫通してグリップ部に鍔状に装着する。【選択図】図２
0003173175.tif 000002
【実用新案登録請求の範囲】
【請求項１】
バット１のグリップ部２が貫通し、グリップ部２の外周面に当接する円孔１１を開孔した偏平リング状に形成し、円孔１１がグリップ部２を貫通してグリップ部２に鍔状に装着する野球又はソフトボールのバットに装着する補助具。
【請求項２】
円輪の一部を欠き、円孔１１との間を薄肉化した欠損部１３を形成した請求項１に記載の野球又はソフトボールのバットに装着する補助具。
【請求項３】
請求項１又は２に記載の補助具をグリップ部２に予め装着した野球又はソフトボールのバット。
【考案の詳細な説明】
【技術分野】
【０００１】
この考案は、野球又はソフトボールのバットの材質に拘わらず、そのグリップ部に装着し、より強いスイングを可能とする野球又はソフトボールのバットに装着する補助具、及びこの補助具を予めグリップ部に装着したバットに関するものである。
【背景技術】
【０００２】
野球又はソフトボールのバットの素材としては、従来からの木製の他、より生産性、耐久性に優れた金属製、ＦＲＰ製、これらの素材を組み合わせたハイブリット型等、種々のものがある。また、特許文献１や特許文献２に示すように、打撃時の反発特性、打撃感の向上を図った特殊構造のバットや、特許文献３に示す、バットのグリップ部の外周にスライド可能な筒状グリップを装着した打撃練習用バット等、様々な構造のバットが提案されている。
【先行技術文献】
【特許文献】
【０００３】
【特許文献１】特開２０１１−６２３７６号公報
【特許文献２】特開２００８−１３２３０９号公報
【特許文献３】特開平１０−４３３４０号公報
【考案の概要】
【考案が解決しようとする課題】
【０００４】
一方、プロ野球では木製バットのみが認められ、高校野球大会では金属製バットの使用が許可されているように、各競技団体や大会の開催規定によって、バットには詳細な基準が設けられている。したがって、特許文献１や特許文献２の特殊構造による不自然な反発特性のバットは、打者のスイングの強さによらないので、練習では使用できても大会での使用は認められない。また、特許文献３のバットは、スイング矯正練習には適するが、打撃練習にも不適である。さらに、これらの特許文献に開示のバットは、バット構造が複雑で製造に工程数も要し、製作コストが高価となる等の欠点がある。
【０００５】
この考案は、野球又はソフトボールのバットのグリップ部に装着し、より強いスイングを可能とする野球又はソフトボールのバットに装着する補助具を提供することを目的とするものである。この補助具は安価に製作され、バットの材質に拘わらず、そのグリップ部に装着可能とするものである。また、この補助具を予めグリップ部に装着した新規製品としてのバットを提供することを目的とするものである。
【課題を解決するための手段】
【０００６】
上記の目的を達成するため、この考案の野球又はソフトボールのバットに装着する補助具は、バット１のグリップ部２が貫通し、グリップ部２の外周面に当接する円孔１１を開孔した偏平リング状に形成し、円孔１１がグリップ部２を貫通してグリップ部２に鍔状に装着するものである。
【０００７】
また、上記の補助具において、円輪の一部を欠き、円孔１１との間を薄肉化した欠損部１３を形成するものである。
【０００８】
また、この考案の野球又はソフトボールのバットは、上記の補助具をグリップ部２に予め装着して製作するものである。
【考案の効果】
【０００９】
この考案の野球又はソフトボールのバットに装着する補助具は、偏平リング状に形成され、これをグリップ部２に鍔状に装着する。打者は、上側と下側の両手で補助具を挟持してグリップ部２を握り、このようにして握った状態でバット１をスイングすると、上側の手が補助具に当接した状態であるから、補助具を介してバット１に回転力が伝達され、強いスイングが可能となる。また、バット１を短く握る打者は、下側の手が補助具に当接するようにバット１を握れば、補助具がグリップエンドとして機能し、強いスイングが可能となる。特に、少年野球において、バット１を短く握ったスイングで、振り抜き時にバット１が飛ぶ事故が多いが、補助具をグリップエンドとすることで、こうした事故を防止することができる。
【００１０】
また、補助具は形状が単純で、ゴム、樹脂。金属、木材等の素材で簡単に形成され、製作コストが安価であり、バット１には何らの改変を要さずに材質に拘わらず、そのグリップ部２に装着することができる。補助具は小さく軽量であるから、装着してもバット１のバランスを崩すこともない。
【００１１】
また、補助具に円孔１１との間を薄肉化した欠損部１３を形成し、これを装着したグリップ部２を、欠損部１３が手前となる向きで、両手で補助具１０挟持して握ると、両手の手元が当接した状態となり、より強いスイングが行える。
【００１２】
また、補助具１０を予めグリップ部２に装着したバット１は、グリップ２に補助具１０を適合させて堅固に固定することができ、従来品のバット１とは異なる変化に富んだデザインとなり、新規な商品展開が可能である。
【図面の簡単な説明】
【００１３】
【図１】この考案の補助具の最初の実施例で、バットに装着した状態の正面図。
【図２】補助具の平面図。
【図３】補助具の装着方法を示す説明図。
【図４】打者がグリップ部を握った状態を示す説明図。
【図５】打者がグリップ部を握った別の状態を示す説明図。
【図６】この考案の補助具の別の実施例の平面図。
【図７】補助具の装着方法を示す説明図。
【図８】この考案の補助具のさらに別の実施例で、バットに装着した状態の正面図。
【図９】補助具の平面図。
【図１０】打者がグリップ部を握った状態を示す説明図。
【図１１】この考案のバットの実施例で、要部の断面図。
【図１２】補助具の平面図。
【図１３】補助具の装着方法を示す説明図。
【考案を実施するための形態】
【００１４】
以下にこの考案の具体的な実施形態について、図面を用いて説明する。
【実施例１】
【００１５】
図１から５にこの考案の補助具の最初の実施例を示す。この実施例において、補助具１０は硬質ゴム材で形成され、バット１のグリップ部２が貫通し、グリップ部２の外周面に当接する円孔１１を中央に開孔し、偏平リング状に形成されている。図２に示すように、補助具１０には、円孔１１から外周端に至る１本の切り込み１２が形成され、図２中の矢印で示すように、この切り込み１２を広げることで、補助具１０は外方向へ開くことが可能とされている。
【００１６】
図３に示すように、補助具１０は、切り込み１２を広げて外方向へ開き、グリップエンド３から任意の距離を設け、バット１の横方向からグリップ部２に鍔状に装着する。補助具１０は硬質ゴム材であるから自身の弾発力でグリップ２に固定される。また、この補助具１０は、不要な場合の取り外しも簡単である。
【００１７】
次に、補助具１０を装着したバット１の握り方を説明する。図４に示すように、打者は、補助具１０を装着したグリップ部２を、上側の手５と下側の手６（右バッターであれば上側は右手、下側は左手）とで補助具１０を挟持して握る。このようにして握った状態でバット１をスイングすると、上側の手５が補助具１０に当接した状態であるから、補助具１０を介してバット１に回転力が伝達され、強いスイングが行える。
【００１８】
また、図５に示すように、バット１を短く握る打者は、下側の手６が補助具１０に当接するようにバット１を握ることもできる。このようにして握った状態でバット１をスイングすると、補助具１０がグリップエンドとして機能し、強いスイングが可能が行える。こうして補助具１０をグリップエンドとすることで、振り抜き時にバット１が飛ぶ事故を防止することができる。
【実施例２】
【００１９】
図６、７に補助具の別の実施例を示す。この補助具１０は、金属又は樹脂等の硬質材で形成され、円輪の半分である一対の半円輪部材１０ａ、１０ｂを当接させ、中央にグリップ部２が貫通する円孔１１を開孔した偏平リング状に成形されている。
【００２０】
図７に示すように、この補助具１０は、半円輪部材１０ａ、１０ｂを分割した状態とし、バット１のグリップ部２を中央として横方向からグリップ部２に装着する。補助具１０の固定手段としては、円孔１１の内周面に両面テープ材を貼設した接着手段とすることが容易である。
【実施例３】
【００２１】
図８から１０に補助具のさらに別の実施例を示す。この補助具１０は、最初の実施例と同様に硬質ゴム材で形成され、バット１のグリップ部２が貫通する円孔１１を開孔し、偏平リング状に成形されている。図９に示すように、補助具１０には、図中のハッチングで示す部分に該当する円輪の一部が欠けられ、円孔１１との間を薄肉化した欠損部１３が形成され、この欠損部１３に、円孔１１から外周端に至る１本の切り込み１２が形成されている。
【００２２】
図１０に示すように、打者は、補助具１０を装着したグリップ部２を、欠損部１３が手前となる向きで、両手５、６で補助具１０挟持し、両手５、６の手元が当接した状態で握ることができる。このようにして握った状態でバット１をスイングすると、両手の手元が当接状態であるから、より強いスイングが行える。
【実施例４】
【００２３】
図１１から１３にこの考案のバットの実施例を示す。図に示すバット１は金属製で、筒状のグリップ部２の開口端にグリップエンド３を嵌め合わせて形成されている。図１２に示すように、補助具１０は金属の他任意の素材で形成され、バット１のグリップ部２が貫通する円孔１１を中央に開孔し、偏平リング状に成形されている。
【００２４】
このバット１は、図１３に示すように、グリップ２の下端から補助具１０を先に挿通して鍔状に装着し、その後グリップ部２の開口端にグリップエンド３を嵌め合わせて製作される。補助具１０の固定手段としては、接着剤による手段が容易である。
【符号の説明】
【００２５】
１  バット
２  グリップ部
１０  補助具
１１  円孔
１３  欠損部
【図１】
0003173175.tif 000003
【図２】
0003173175.tif 000004
【図３】
0003173175.tif 000005
【図４】
0003173175.tif 000006
【図５】
0003173175.tif 000007
【図６】
0003173175.tif 000008
【図７】
0003173175.tif 000009
【図８】
0003173175.tif 000010
【図９】
0003173175.tif 000011
【図１０】
0003173175.tif 000012
【図１１】
0003173175.tif 000013
【図１２】
0003173175.tif 000014
【図１３】
0003173175.tif 000015
【手続補正書】
【提出日】平成23年11月14日(2011.11.14)
【手続補正１】
【補正対象書類名】明細書
【補正対象項目名】００１８
【補正方法】変更
【補正の内容】
【００１８】
また、図５に示すように、バット１を短く握る打者は、下側の手６が補助具１０に当接するようにバット１を握ることもできる。このようにして握った状態でバット１をスイングすると、補助具１０がグリップエンドとして機能し、強いスイングが行える。こうして補助具１０をグリップエンドとすることで、振り抜き時にバット１が飛ぶ事故を防止することができる。